(57)【特許請求の範囲】
【請求項１】
オープンショーケースにおけるコーナー部あるいはラウンド部の断熱箱体の組立構造は、
複数の分割箱体と、少なくとも前記複数の分割箱体をそれぞれ規定位置に位置決めする位置決め部材と、を有し、
前記位置決め部材には、各分割箱体がそれぞれ当接することで、これら各分割箱体をそれぞれ前記規定位置に位置決めできる案内部が備えられ、各分割箱体同士の間の隙間にはシール材が充填されていることを特徴とするコーナー部あるいはラウンド部の断熱箱体の組立構造。
【請求項２】
前記位置決め部材は、平面視において組み立てた各分割箱体の外形形状がそれぞれの前記規定位置に沿うような外形形状を有していることを特徴とする請求項１に記載のコーナー部あるいはラウンド部の断熱箱体の組立構造。
【請求項３】
前記位置決め部材は、前部フレームと、後部フレームと、前記前部フレーム及び前記後部フレームを連結する連結フレームと、を具備することを特徴とする請求項１または２に記載のコーナー部あるいはラウンド部の断熱箱体の組立構造。
【請求項４】
前記位置決め部材は、前記各分割箱体の下方に取付けられていることを特徴とする請求項１ないし３のいずれかに記載のコーナー部あるいはラウンド部の断熱箱体の組立構造。
【発明の詳細な説明】
【技術分野】
【０００１】
本発明は、物品の陳列に用いられるオープンショーケースにおけるコーナー部あるいはラウンド部の断熱箱体の組立構造に関する。
【背景技術】
【０００２】
一般的なオープンショーケースは、底部と、底部の前端から立ち上がる前壁部と、底部の後端から立ち上がる後壁部と、で構成された断熱性のケース（断熱箱体）を備えており、このケースは、内部に商品陳列用空間部を有している。このようなオープンショーケースは、必要に応じてコーナー部のケースとストレート部のケースとを組み合わせて構成されるようになっている。
【０００３】
例えば特許文献１に開示されるようなコーナー部のケースは、前記ストレート部のケースを複数の分割ケース（分割箱体）に切断し、各分割ケースの底部、前壁部、及び後壁部同士が夫々面一となるように組み合わせることで形成されることが一般的であり、このようなコーナー部のケースを用いるオープンショーケースにあっては、コーナー部のケースと、前記コーナー部のケースに隣接して配置されるストレート部のケースとの露出する面に化粧板を取付けて美観を向上させるような手法が用いられる。
【先行技術文献】
【特許文献】
【０００４】
【特許文献１】特開２００５−３０６５６号公報（第４頁、第２図）
【発明の概要】
【発明が解決しようとする課題】
【０００５】
しかしながら、特許文献１のコーナー部のケースにあっては、複数の分割ケースを組み合わせる構造であるため、各分割ケース同士の少なくとも露出する面を合わせた状態で、各分割ケースの相互の位置及び角度が整合した寸法精度の高いコーナー部あるいはラウンド部を構成するケースを形成することが困難であった。そのため、例えば、コーナー部のケースとストレート部のケースとの露出する面に取付けられる化粧板同士に段差が形成されてしまい、化粧板を美観良く取り付けるためには時間を要するという問題があった。
【０００６】
本発明は、このような問題点に着目してなされたもので、寸法精度の高いコーナー部あるいはラウンド部の断熱箱体を容易に形成できるオープンショーケースにおけるコーナー部あるいはラウンド部の断熱箱体の組立構造を提供することを目的とする。
【課題を解決するための手段】
【０００７】
前記課題を解決するために、本発明のオープンショーケースにおけるコーナー部あるいはラウンド部の断熱箱体の組立構造は、
複数の分割箱体と、少なくとも前記複数の分割箱体をそれぞれ規定位置に位置決めする位置決め部材と、を有し、
前記位置決め部材には、各分割箱体がそれぞれ当接することで、これら各分割箱体をそれぞれ前記規定位置に位置決めできる案内部が備えられ、各分割箱体同士の間の隙間にはシール材が充填されていることを特徴としている。
この特徴によれば、位置決め部材を用いることにより、複数の分割箱体をそれぞれ規定位置に位置決めして、寸法精度の高いコーナー部あるいはラウンド部の断熱箱体を容易に形成することができる。
【０００８】
前記位置決め部材は、平面視において組み立てた各分割箱体の外形形状がそれぞれの前記規定位置に沿うような外形形状を有していることを特徴としている。
この特徴によれば、位置決め部材の外形形状を視認しながら各分割箱体の外形形状を規定位置に沿って容易に位置決めできる。
【００１０】
前記位置決め部材は、前部フレームと、後部フレームと、前記前部フレーム及び前記後部フレームを連結する連結フレームと、を具備することを特徴としている。
この特徴によれば、曲げ剛性、捩じり剛性の高い位置決め部材を軽量化して形成できるばかりか、製造コストを抑えることができる。
【００１１】
前記位置決め部材は、前記各分割箱体の下方に取付けられていることを特徴としている。
この特徴によれば、各分割箱体同士の接続や分割箱体の付属部品等に対して位置決め部材が影響しないため、分割箱体に特殊な加工などを施すことなく、そのまま使用して断熱箱体を構成することができる。
【図面の簡単な説明】
【００１２】
【図１】実施例におけるオープンショーケースを示す斜視図である。
【図２】ストレートショーケースの構造を示す側断面図である。
【図３】コーナーショーケースの構造を示す分解斜視図である。
【図４】コーナーショーケースの構造を示す側断面図である。
【図５】コーナー型断熱箱体の構造を示す上面図である。
【図６】コーナー型断熱箱体に補正治具を取付けた状態を示す斜視図である。
【発明を実施するための形態】
【００１３】
本発明に係るオープンショーケースにおけるコーナー部あるいはラウンド部の断熱箱体の組立構造を実施するための形態を実施例に基づいて以下に説明する。
【実施例】
【００１４】
実施例に係るオープンショーケースにおけるコーナー部あるいはラウンド部の断熱箱体の組立構造につき、図１から図６を参照して説明する。以下、図４の画面左側をコーナー型断熱箱体の正面側（前方側）として説明する。
【００１５】
図１に示されるように、本実施例のオープンショーケース２は、オープンショーケース２におけるコーナー部に配置されるコーナー型断熱箱体１を有したコーナーショーケース１０と、コーナー型断熱箱体１の両側に配置されるストレート型断熱箱体３を有したストレートショーケース３０，３０と、を備えている。尚、このオープンショーケース２は、スーパーやコンビニエンスストア等の配置スペースに合わせてコーナー型断熱箱体１とストレート型断熱箱体３とを適宜組み合わせることで設計の変更が可能となっている。
【００１６】
図１及び図２に示されるように、ストレートショーケース３０は、ストレート型断熱箱体３と、ストレート型断熱箱体３の底部３ｂの下面に取付けられた複数のストレート用ベース脚３１，３１，…と、から主に構成されている。このストレート型断熱箱体３は、外面材３２と、その内方に離間して設けられた内面材３３とを備え、外面材３２と内面材３３との間に発泡ウレタン等の断熱材３４が充填されている。この外面材３２及び内面材３３は、底面の前後両端から前面及び後面が立ち上がるように鋼板等を折り曲げて形成されており、外面材３２及び内面材３３で外側の形状が構成されるストレート型断熱箱体３は、前壁部３ａ、底部３ｂ、及び後壁部３ｃが長手方向に延在し、前上面が開放された断面視略Ｕ字形状を成している。ストレート用ベース脚３１，３１，…は、ストレート型断熱箱体３の底部３ｂの長手方向に所定間隔離間して配置されている。また、ストレート型断熱箱体３には、内面材３３の内方に離間して内箱体３５が配置されており、この内箱体３５の底板上面は、物品を載置して収容・陳列する物品収容部３６となっている。また、ストレート型断熱箱体３の上端には、物品収容部３６を照らす照明等の付属装置が取付けられている。尚、例えば、内箱体３５の背板側に別体の棚等を片持ち状態で接続して物品収容部３６を増設してもよい。
【００１７】
次に、コーナーショーケース１０の構造について説明する。図３及び図４に示されるように、このコーナーショーケース１０は、複数の分割箱体１１，１２，１３（本実施例では３つ）及び位置決め部材としての枠体４から形成されるコーナー型断熱箱体１と、枠体４の下面に取付けられる複数のコーナー用ベース脚１４，１４，…（本実施例では４つ）と、から主に構成されている。
【００１８】
この分割箱体１１，１２，１３は、それぞれを組み合わせた際において後述にて詳述する枠体４の外形形状よりもその左右寸法が若干小さくなるようにストレート型断熱箱体３をジグソー等の工具で複数に切断加工したものである。
【００１９】
枠体４は、前部フレーム４０と、後部フレーム４１と、前部フレーム４０及び後部フレーム４１とを連結する連結フレーム４２，４２，…（本実施例では４本）と、から主に構成されている。また、各部材が組み合わされて構成された枠体４は、その平面視における外形形状が、オープンショーケース２においてコーナー型断熱箱体１が配置されるスペースに整合するように予め設計されている。
【００２０】
前部フレーム４０は、左右方向に延び、略中央部で左右２分割されている延設部４０ａ，４０ａ’と、その右側の延設部４０ａの右端及び左側の延設部４０ａ’の左端からそれぞれ所定の角度で前方に広がるように傾斜して延びる傾斜部４０ｂ，４０ｂ’と、を有しており、左右の延設部４０ａ，４０ａ’は、連結部材４３により連結されるようになっている。後部フレーム４１も同様に左右方向に延び、略中央部で左右２分割されている延設部４１ａ，４１ａ’と、その右側の延設部４１ａの右端及び左側の延設部４１ａ’の左端から所定の角度で前方に広がるように傾斜して延びる傾斜部４１ｂ，４１ｂ’と、を有しており、左右の延設部４１ａ，４１ａ’は、連結部材４３により連結されるようになっている。ここでの、所定の角度は、傾斜部４０ｂ，４０ｂ’，４１ｂ，４１ｂ’が隣接するストレートケース３０，３０の延在方向と平行となる角度であり、このような傾斜部４０ｂ，４０ｂ’，４１ｂ，４１ｂ’を設けることにより、分割箱体１１，１３を正確かつ容易に位置調整できる。
【００２１】
連結フレーム４２，４２，…は、それぞれ前後方向の長さが同一となるように形成されており、２本の連結フレーム４２，４２は、左右に平行に離間して延設部４０ａ，４０ａ’と延設部４１ａ，４１ａ’との間に渡って固定されているとともに、その他２本の連結フレーム４２，４２は、傾斜部４０ｂ，４０ｂ’と傾斜部４１ｂ，４１ｂ’との端部同士をそれぞれ繋ぐように固定されている。
【００２２】
これにより、枠体４は、連結フレーム４２，４２，…が梁として機能して曲げ剛性、捩じり剛性が高くなっている。また、後述する前部フレーム４０の水平部４０ｃ，４０ｇと後部フレーム４１の水平部４１ｃ，４１ｇとが夫々平行且つ水平となる。また、このように形成された枠体４は、連結部材４３，４３を取外すことにより左右に分割することができる構造となっているため、容易に運搬することができる。
【００２３】
また、図４に示されるように、前部フレーム４０は、鋼板等を折り曲げて形成されており、側断面視において水平部４０ｃと、該水平部４０ｃから下方に折れ曲がる垂直部４０ｄと、該垂直部４０ｄから後方側に水平に折れ曲がる底板部４０ｅと、底板部４０ｅから上方に折れ曲がる垂直部４０ｆと、垂直部４０ｆから後方側に折れ曲がる水平部４０ｇと、を備えている。尚、後部フレーム４１も側断面視において前部フレーム４０と略同一の形状を成すため、後部フレーム４１の側断面視における説明を省略する。また、各連結フレーム４２，４２，…は、断面視コ字形状を成すように鋼板等を折り曲げて形成されている（図３参照）。これによれば、前部フレーム４０及び後部フレーム４１の各部位と連結フレーム４２，４２，…の折り曲げ部位が相互にリブとして機能するため、枠体４の曲げ剛性、捩じり剛性が極めて強くなっている。さらに、折り曲げ形成により前部フレーム４０、後部フレーム４１、及び連結フレーム４２，４２，…が構成されているため、枠体４が安価で且つ軽量化されている。
【００２４】
また、図３及び図４に示されるように、後部フレーム４１における後端側の水平部４１ｇの後端縁には、上方に立ち上がる案内部としての立上部４４が形成されている。また、前部フレーム４０と後部フレーム４１との左右両端同士をそれぞれ繋ぐように固定された連結フレーム４２，４２の外側方には、垂直に延びる板部材４５，４５が配置されており、板部材４５，４５の上端部４５ａ，４５ａは、前部フレーム４０の水平部４０ｃ，４０ｇ及び後部フレーム４１の水平部４１ｃ，４１ｇよりも上方に張り出している。換言すれば、枠体４の上方側は、その左右両端の辺と後端の辺とが、板部材４５，４５の上端部４５ａ，４５ａと立上部４４とにより囲われており、枠体４の前部フレーム４０側が開放された状態となっている。
【００２５】
図４及び図５に示されるように、右側の分割箱体１３は、その右端面１３ｆ（詳しくは前壁部１３ａ、底部１３ｂ、後壁部１３ｃ、及び断熱材３４によって形成される端面）が右側の板部材４５の上端部４５ａの側面に当接されているとともに、後壁部１３ｃの後面１３ｅが後部フレーム４１の立上部４４に当接されている。これにより、右側の分割箱体１３が板部材４５の上端部４５ａと立上部４４とに案内されて右側の分割箱体１３の規定位置に位置決めされている。この右側の分割箱体１３の規定位置とは、枠体４に対する右側の分割箱体１３の位置（ポジション）であり、右側の分割箱体１３が規定位置に位置決めされた状態にあっては、右側の分割箱体１３の右端面１３ｆが、右側に隣接するストレート型断熱箱体３の長手方向に対して直交する。つまり、右側の分割箱体１３の角度が隣接するストレート型断熱箱体３と整合して接続できる最適な角度に決定される。尚、左側の分割箱体１１は、右側の分割箱体１３と同様に位置決めされているため、左側の分割箱体１１の位置決め態様についての説明を省略する。
【００２６】
中央の分割箱体１２は、その後壁部１２ｃの後面１２ｅが後部フレーム４１の立上部４４に当接されている。これにより、中央の分割箱体１２が立上部４４に案内されて中央の分割箱体１２の規定位置に位置決めされている。この中央の分割箱体１２の規定位置とは、枠体４に対する中央の分割箱体１２の位置（ポジション）であり、中央の分割箱体１２が規定位置に位置決めされた状態にあっては、隣接する左右の分割箱体１１，１３に対する中央の分割箱体１２の角度も決定される。したがって、各分割箱体１１，１２，１３がそれぞれ規定位置に位置決めされた状態にあっては、各分割箱体１１，１２，１３の外形寸法が枠体４の外形形状上に整合される。また、中央の分割箱体１２にあっては、中央の分割箱体１２が立上部４４に案内され、且つ左右の分割箱体１１，１３に干渉しなければ、左右方向どの位置にあっても規定位置となる。
【００２７】
このように、立上部４４と板部材４５，４５の上端部４５ａ，４５ａとによって、分割箱体１１，１２，１３が案内されて各々の規定位置に位置決めされるため、分割箱体１１，１２，１３の位置決め作業が極めて容易となっている。
【００２８】
コーナー型断熱箱体１は、各々の規定位置に位置決めされた分割箱体１１，１２，１３が前述した前部フレーム４０の水平部４０ｃ，４０ｇと後部フレーム４１の水平部４１ｃ，４１ｇとの上面に対して図示しないボルト等で固定されるとともに、その各分割箱体１１，１２，１３同士が図示しない板状の連結材等により固定されることにより形成される。このようにコーナー型断熱箱体１は、枠体４が分割箱体１１，１２，１３の下に固定されている構造であるため、分割箱体１１，１２，１３同士の接続や分割箱体１１，１２，１３に対する付属部品等に対して枠体４が影響しない。そのため、分割箱体１１，１２，１３に特殊な加工などを施すことなく、分割箱体１１，１２，１３をそのまま使用してコーナー型断熱箱体１を構成することができる。さらに、分割箱体１１，１２，１３を枠体４が補強するため、曲り方向または捻じれ方向の外力に対して剛性が高い。
【００２９】
上述のように、コーナー型断熱箱体１は、分割箱体１１，１２，１３と枠体４とから構成され、枠体４を用いてそれぞれの分割箱体１１，１２，１３を規定位置に位置決めできるため、寸法精度の高いコーナー型断熱箱体１を容易に形成することができる。そのため、例えば、コーナー型断熱箱体１の露出面である前壁部１１ａ，１２ａ，１３ａの前面１１ｄ，１２ｄ，１３ｄに対して所定の寸法に形成された既製の化粧板を取付ける場合に、段差などを生じさせることなく見栄えよく取付けることができる（特に図５参照）。
【００３０】
また、左右の分割箱体１１，１３は、その左右端面１１ｆ，１３ｆが隣接するストレート型断熱箱体３，３の長手方向に対して直交するため、その前壁部１１ａ，１３ａの前面１１ｄ，１３ｄと、前記ストレート型断熱箱体３，３の前壁部３ａ，３ａの前面３ｄ，３ｄとを面一にできる（図１参照）。これにより、例えば、コーナー型断熱箱体１とストレート型断熱箱体３，３との露出面に前記化粧板を面一に取付けることができる。
【００３１】
また、枠体４は、オープンショーケース２においてコーナー型断熱箱体１が配置されるスペースに整合する平面視の外形形状を有しているため、枠体４の外形形状を視認しながら分割箱体１１，１２，１３を容易に規定位置に位置決めできる。また、枠体４が分割箱体１１，１２，１３の外側に張り出さず、コンパクトなコーナー型断熱箱体１を形成できる。
【００３２】
また、図３及び図４に示されるように、コーナー用ベース脚１４，１４，…は、床面に当接して延びる脚部１４ａと、脚部１４ａの両端が上方に立設された立設部１４ｂ，１４ｂと、立設部１４ｂ，１４ｂの上端にそれぞれ設けられ枠体４を載置する載置部１４ｃ，１４ｃとをそれぞれ備えている。この載置部１４ｃ，１４ｃは、前述した前部フレーム４０の底板部４０ｅと後部フレーム４１の底板部４１ｅとの下面に配置されボルト等により固定される。また、枠体４の左右両端に配置された立設部１４ｂ，１４ｂの側方には、前述した板部材４５，４５の下方側がボルト等により着脱可能に固定される。このように、接続された分割箱体１１，１２，１３よりも剛性の高いフレーム構造の枠体４にコーナー用ベース脚１４，１４，…が取付けられるため、コーナー型断熱箱体１を安定性して支持できる。
【００３３】
このコーナー用ベース脚１４の高さ寸法は、前述したストレート用ベース脚３１の高さ寸法よりも、分割箱体１３とコーナー用ベース脚１４の載置部１４ｃ，１４ｃとの間に介在する枠体４の厚さ分短く形成されている。これによれば、ストレート用ベース脚３１，３１，…を設けたストレート型断熱箱体３の底部３ｂ下面の高さ位置と、コーナー用ベース脚１４，１４，…を設けたコーナー型断熱箱体１の底部１３ｂ下面の高さ位置と、を略同一高さとすることができるため、コーナー型断熱箱体１とストレート型断熱箱体３との高さの差異を無くして正確に連結される（図１参照）。
【００３４】
次に、コーナーショーケース１０の組立方法について説明する。先ず、図３に示されるように、ストレート型断熱箱体３をジグソー等の工具で切断加工して分割箱体１１，１２，１３を形成する。また、枠体４を組み立てるとともに、その枠体４にコーナー用ベース脚１４，１４，…と板部材４５，４５とを取付けておく。
【００３５】
続いて、図４及び図５に示されるように、枠体４の前部フレーム４０の水平部４０ｃ，４０ｇと後部フレーム４１の水平部４１ｃ，４１ｇとの上に分割箱体１１，１２，１３を載置する。前述のように前部フレーム４０の水平部４０ｃ，４０ｇと後部フレーム４１の水平部４１ｃ，４１ｇとは水平となっているため、分割箱体１１，１２，１３同士の上下のずれを抑えることができる。また、前述のように、分割箱体１１，１２，１３は、それぞれを組み合わせた際において枠体４の外形形状よりもその左右寸法が若干小さくなるように切断加工されたものであるため、各分割箱体１１，１２，１３同士に隙間が形成されることとなり、各分割箱体１１，１２，１３を相互に移動させることが可能となっている。さらに、各分割箱体１１，１２，１３を相互に移動させる際には、開放された枠体４の前部フレーム４０側を利用して各分割箱体１１，１２，１３を容易に位置調整できる。
【００３６】
次に、分割箱体１１，１２，１３のそれぞれの規定位置への位置決めを行う。図５に示されるように、先ず、左右の分割箱体１１，１３を位置決めする。右側の分割箱体１３の右端面１３ｆ及び左側の分割箱体１１の左端面１１ｆを板部材４５，４５の上端部４５ａ，４５ａに当接させるとともに、左右の分割箱体１１，１３の後壁部１１ｃ，１３ｃの後面１１ｅ，１３ｅを後部フレーム４１の立上部４４に当接させる。これにより、左右の分割箱体１１，１３が板部材４５，４５の上端部４５ａ，４５ａと立上部４４とに案内されてそれぞれの規定位置に位置決めされる。その後、中央の分割箱体１２の後壁部１２ｃの後面１２ｅを後部フレーム４１の立上部４４に当接させる。これにより、中央の分割箱体１２が立上部４４に案内されて中央の分割箱体１２の規定位置に位置決めされる。
【００３７】
尚、本実施例では、枠体４に分割箱体１１，１２，１３を載置した後、各分割箱体１１，１２，１３の位置決め作業を行う態様について説明したが、これに限られず、各分割箱体１１，１２，１３の位置決め作業を行う際に枠体４に対して順に各分割箱体１１，１２，１３が載置されるようになっていてもよい。更に尚、各分割箱体１１，１２，１３の位置決め作業の順番は、これに限られず、分割箱体１１，１２，１３を各々の規定位置に配置できれば自由に変更しても構わない。
【００３８】
次いで、図６に示されるように、予めコーナー型断熱箱体１の前面側の形状に形成された補正治具５を、分割箱体１１，１２，１３の前壁部１１ａ，１２ａ，１３ａの前面１１ｄ，１２ｄ，１３ｄに対して跨がるように取付ける。詳しくは、この補正治具５の両端部を左右の分割箱体１１，１３の前壁部１１ａ，１３ａの外側面に取付ける。これにより、補正治具５によって各分割箱体１１，１２，１３の位置の微小なずれや歪み等が補正され、より確実に規定位置に位置決めされる。その後、規定位置への位置決めが完了した各分割箱体１１，１２，１３を枠体４に対してボルト等で固定するとともに、隣接し合う分割箱体１１，１２，１３同士を長手方向に連続するように連結材等により互いに接続することで、コーナー型断熱箱体１が構成される。この状態で各分割箱体１１，１２，１３同士の間の隙間にシール材やコーキング材等を充填する。次いで、コーナー型断熱箱体１に対して照明などの付属装置を取付けるとともに、板部材４５，４５と補正治具５とを取外すことによりコーナーショーケース１０を形成する。
【００３９】
尚、上記実施例では、組み立てた枠体４の上で分割箱体１１，１２，１３の位置決め作業と固定作業とを行うことでコーナー型断熱箱体１を形成する方法について説明したが、コーナー型断熱箱体１を形成する別態様として、例えば、各分割箱体１１，１２，１３を上下反転させて配置し、上方側に配置された分割箱体１１，１２，１３の各底部に枠体４を固定することで各分割箱体１１，１２，１３が規定位置に配置されるように矯正し、その後、各分割箱体１１，１２，１３を再度上下反転させてコーナー型断熱箱体１を形成するようにしてもよい。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、位置決め部材として枠体４を用いる態様について説明したが、これに限られず、例えば、位置決め部材を各分割箱体１１，１２，１３の規定位置を示す目印を有したプレートであってもよいし、規定の外形形状を有した無端状の帯部材などであってもよい。
【００４２】
また、前記実施例では、案内部として立上部４４と板部材４５，４５の上端部４５ａ，４５ａとを用いる態様について説明したが、例えば、左右の分割箱体１１，１３の左端面１１ｅ及び右端面１３ｆを立上部４４の左右両端面に合わせれば、左右の分割箱体１１，１３が位置決めされるため、立上部４４のみを案内部として板部材４５，４５の構成を省略しても構わない。更に、案内部は、位置決め部材から立ち上がる形状に限られず、少なくとも各分割箱体１１，１２，１３の前後いずれかの面に作用する面を有していればよい。
【００４３】
また、前記実施例では、３つの分割箱体１１，１２，１３によりコーナー型断熱箱体１の一部が形成されていたが、分割箱体は、２つ以上の複数であればいくつであってもよい。また、コーナー型断熱箱体１に限られず、ラウンド型の断熱箱体であってもよいことは、言うまでもない。
【符号の説明】
【００４４】
１                コーナー型断熱箱体
２                オープンショーケース
３                ストレート型断熱箱体
４                枠体（位置決め部材）
５                補正治具
１０              コーナーショーケース（コーナー部）
１１              左側の分割箱体
１２              中央の分割箱体
１３              右側の分割箱体
１４              コーナー用ベース脚
３０              ストレートショーケース
３１              ストレート用ベース脚
３６              物品収容部
４０              前部フレーム
４１              後部フレーム
４２              連結フレーム
４４              立上部（案内部）
４５ａ            板部材の上端部（案内部）
【図１】
0006445839.tif 000002
【図２】
0006445839.tif 000003
【図３】
0006445839.tif 000004
【図４】
0006445839.tif 000005
【図５】
0006445839.tif 000006
【図６】
0006445839.tif 000007